(57)【要約】【課題】  現場盤を省いても機器の運転状況を現場で把握できるようにして、機器の信頼性を向上させる。【解決手段】  監視システムは、制御対象機器を監視する自動制御盤２１と、この自動制御盤に着脱自在に設けられ、自動制御盤から取り外した時には無線通信で自動制御盤と通信可能な携帯型の入出力手段１１とを有する。入出力手段は制御対象機器の制御指令を巡回者が入力可能なタッチパネルを有する。【選択図】  図１
2007122196.tif 000002
【特許請求の範囲】
【請求項１】
制御対象機器を監視する中央監視装置と、この中央監視装置に着脱自在であって通信可能に設けられ、前記中央監視装置から取り外した時には無線通信で中央監視装置と通信可能な携帯型の入出力手段とを有し、この入出力手段は制御対象機器の制御指令を巡回者が入力可能なタッチパネルを有することを特徴とする監視システム。
【請求項２】
前記入出力手段に、中央監視装置から送信される情報を記憶する記憶手段とこの記憶手段に記憶された情報を前記タッチパネルに表示する表示制御手段とを備え、前記記憶手段は中央監視装置から送信された制御対象機器のロギングデータを記憶し、前記表示制御手段はこのロギングデータを前記タッチパネルに表示することを特徴とする請求項１に記載の監視システム。
【請求項３】
前記入出力手段は、前記中央監視装置から送信された制御指令を、前記タッチパネルから入力される制御指令に優先させて制御対象機器を制御することを特徴とする請求項１または２に記載の監視システム。
【発明の詳細な説明】
【技術分野】
【０００１】
本発明は、上下水道の給排水装置等の遠隔から機器を監視する監視システムに係り、特に中央監視装置と現場の双方で機器を監視可能な監視システムに関する。
【背景技術】
【０００２】
従来の監視システムの例が、特許文献１に記載されている。この公報に記載の監視システムでは、現場を巡回中の監視員が中央監視装置と連携して遠隔監視できるようにするために、監視システムが中央監視装置と、無線基地局と、携帯端末機とを有する。無線基地局は有線通信と無線通信とを備えており、これらを相互に変換可能である。中央監視装置は、監視情報の上下限値を設定し、計測値が上下限値の範囲外であれば携帯端末に警報を発する。
【０００３】
従来の監視システムの他の例が、特許文献２に記載されている。この公報に記載の監視システムにおいては、現場盤をなくして広域に跨る機器を監視するために、複数の監視機器から得られた情報を監視制御装置に集め、その情報を携帯端末を有する端末情報監視制御装置に無線送信し表示している。
【０００４】
【特許文献１】特開平１０−４２３７４号公報
【特許文献２】特開平１１−２４７３０号公報
【発明の開示】
【発明が解決しようとする課題】
【０００５】
上記特許文献１や特許文献２に記載の従来の監視システムでは、現場盤をなくしたり、または現場盤を小型化するために携帯機器を使用しているので、省スペースが求められている大型の機場に適している。しかしながら、これらの公報に記載のものは、機器の運転／停止制御や異常時に対応することは考慮されているものの、設備の可動データであるロギングデータを、現場を巡回する巡回員に現場で提示することについては考慮されていない。巡回員は、機器のそのときの運転状態を各種計測値や音響振動等で判断するが、その際、ロギングデータがあれば機器の異常状態を早期に把握できる。
【０００６】
本発明は上記従来技術の不具合に鑑みなされたものであり、その目的は現場盤を省いても機器の運転状況を現場で把握できるようにすることにある。本発明の他の目的は、現場盤を省いて省スペース化することにある。
【課題を解決するための手段】
【０００７】
上記目的を達成するための本発明の特徴は、制御対象機器を監視する中央監視装置と、この中央監視装置に着脱自在であって通信可能に設けられ、前記中央監視装置から取り外した時には無線通信で中央監視装置と通信可能な携帯型の入出力手段とを有し、この入出力手段は制御対象機器の制御指令を巡回者が入力可能なタッチパネルを有することにある。
【０００８】
そしてこの特徴において、入出力手段に、中央監視装置から送信される情報を記憶する記憶手段とこの記憶手段に記憶された情報を前記タッチパネルに表示する表示制御手段とを備え、前記記憶手段は中央監視装置から送信された制御対象機器のロギングデータを記憶し、前記表示制御手段はこのロギングデータを前記タッチパネルに表示するのがよく、入出力手段は、前記中央監視装置から送信された制御指令を、前記タッチパネルから入力される制御指令に優先させて制御対象機器を制御するものであってもよい。
【発明の効果】
【０００９】
本発明によれば、中央監視装置に着脱自在に設けた携帯型の入出力手段がタッチパネルを有しているので、現場盤が不要となり機場の省スペース化が図られる。また、タッチパネルにロギングデータを表示可能にしたので、機器の運転状況を確実に現場で把握でき、機器の信頼性が向上する。
【発明を実施するための最良の形態】
【００１０】
以下、本発明に係る監視システムの一実施例を、図面を用いて説明する。図１に、監視システムの模式図を示す。本実施例では、１号ポンプ５１ａおよび２号ポンプ５１ｂを有するポンプ機場に監視システムが設けられている。図示しないピットから揚水する１号ポンプ５１ａと２号ポンプ５１ｂは１階の床面に設置されている。これら１号ポンプ５１ａと２号ポンプ５２ｂの階上である２階には、これらポンプ５１ａ、５１ｂを制御するために電気室が設けられている。
【００１１】
電気室には、１号ポンプ５１ａに接続され詳細を後述する１号ポンプ盤と３１ａと、２号ポンプ５１ｂに接続される２号ポンプ盤３１ｂと、これら１号ポンプ盤３１ａおよび２号ポンプ盤３１ｂが接続される中央監視装置としての自動制御盤２１とが配置されている。１号ポンプ盤３１ａおよび２号ポンプ盤３１ｂは、それぞれ１号ポンプ盤リレー制御回路３３ａと２号ポンプ盤制御回路３３ｂとを有している。
【００１２】
自動制御盤２１の高さ方向中間部には、タッチパネル表示面を備えた入出力手段１１が着脱自在に取り付けられている。この入出力手段１１の前面以外のいずれかの面には、自動制御盤２１と信号伝送が可能なように、端子部が形成されている。自動制御盤２２の下部には、情報伝送装置２２が取り付けられている。さらに自動制御盤２１には、入出力手段１１を自動制御盤２１から取り外して使用したときに、入出力手段１１からの入力信号を伝達可能なように、無線ＬＡＮのターミナルである無線アンテナ４１ａが接続されている。
【００１３】
図１の上側は、２階の電気室で入出力手段１１を使用する場合であり、２階で入出力手段１１を使用する場合は、図に示すように自動制御盤２１に取り付けて有線で信号伝達することも可能であるし、図の右側に示すように自動制御盤２１から取り外して入出力手段１１の有する無線通信手段から無線で無線ＬＡＮターミナル４１ａに送信することもできる。
【００１４】
巡回員が現場である１階に設置した１号ポンプ５１ａおよび２号ポンプ５２ａを巡回監視するときは、当然ながら入出力手段１１を自動制御盤２１から取り外して、携行する。その際、巡回員が自動制御盤２１からの情報を必要とする場合や自動制御盤２１に情報を伝達する必要が生じたら、入出力手段１１の有する無線通信手段から１階に設けられた無線ＬＡＮのターミナルである無線アンテナ４１ｂに信号を送信する。このポンプ機場では、１階と２階に無線ＬＡＮ網４３が張り巡らされているので、無線ＬＡＮ網４３を介して入出力手段１１の入力信号および自動制御盤２１の出力信号が伝送される。
【００１５】
この詳細を、図２を用いて説明する。図２に、電気室に配置される上記各機器をブロック図で示す。入出力手段１１は、前面がタッチパネルで形成された無線機能内蔵タッチパネル装置で、携行可能なようにＡ４サイズ以下の大きさになっている。入力手段１１は、表示操作部であるタッチパネル１０００と、この表示操作部１０００に接続された記憶手段１０２０と、表示操作部１０００から入力された情報を自動制御盤２１に送信し、自動制御盤２１からの情報を受信するための無線通信部１０１０とを備える。
【００１６】
記憶手段は、自動制御盤２１から送信された各ポンプ５１ａ、５１ｂのロギングデータを記憶する。ロギングデータには、運転回数や流量の日報データや故障履歴が含まれる。なお、これらは必ずしも全てを一時に送信する必要はなく、巡回者の選択により、その一部だけを送信できるようにする。表示操作部１０００は、操作画面を表示可能であり、この操作画面を巡回者が操作すれば、操作データが自動制御盤２１側へ送信される。それとともに、自動制御盤２１から送られたロギングデータも表示する。
【００１７】
入出力手段１１から無線アンテナ４１ａまたは４１ｂを介して送信された入力情報は、自動制御盤２１が備える情報伝達装置２２の無線通信部２０００に送信される。無線通信部２０００は、自動制御盤２１の出力情報を入出力手段１１に送信するのにも用いられる。情報伝達装置２２は、自動操作盤２１の図示しない記憶装置に記憶された各種ロギングデータを取り出し、処理して入出力手段１１に送る。そのため、データロギング処理部２０２０およびロギング画面生成処理部２０１０とを有する。
【００１８】
データロギング処理部２０２０には、情報伝送装置２２の入出力部２０４０が接続されている。この入出力部には、１号ポンプ盤３１ａが有する１号ポンプ盤リレー制御回路３３ａおよび２号ポンプ盤リレー制御回路３３ｂが接続されている。１号ポンプ盤リレー制御回路３３ａには、１号ポンプ５１ａの各種測定値が入力される。同様に、２号ポンプ盤リレー制御回路３３ｂには、２号ポンプ５１ｂの各種測定値が入力される。
【００１９】
データロギング処理部２０２０では、入出力部２０４０に入力された１号ポンプ５１ａおよび２号ポンプ５１ｂの運転信号や温度、圧力、流量、振動等の計測信号を図示しない記憶手段に記憶し、記憶した計測信号や運転信号に基づいて、日報や月報等の管理報告を作成する。さらに、計測信号や運転信号の履歴データやトレンドデータも作成する。ロギング画面生成処理部２０１０は、データロギング処理部２０２０が生成した管理報告や計測履歴および運転履歴等の履歴データ、計測値のトレンド等に基づいて、入出力手段１１に送信する各種ロギング画面を送信する。
【００２０】
なお、情報伝送装置２２の無線通信部２０００と入出力部２０４０間には、操作画面データ処理部２０３０が配置されており、入出力手段１１から入力された操作信号を、１号ポンプ５１ａおよび２号ポンプ５１ｂへの指令信号に変換するための各種操作画面を生成する。したがって、操作画面データ処理部２０３０で処理された信号は、入出力部２０４０を介して１号ポンプ盤リレー制御回路３３ａおよび２号ポンプ盤リレー制御回路３３ｂで１号ポンプ５１ａおよび２号ポンプ５１ｂへの指令信号に変換される。
【００２１】
このように、本実施例に示した監視システムでは、１号ポンプ５１ａおよび２号ポンプ５１ｂの操作スイッチを、入出力手段１１が備えるタッチパネルの操作画面で操作可能になり、従来必要であった現場盤が不要となる。また、入出力手段１１を現場まで携行して操作できるので、巡回員が現場の状況に応じて機器の制御を変更できる。
【００２２】
本発明の他の実施例を、図３に示したブロック図で説明する。本実施例が上記実施例と異なるのは、情報伝送装置を２つの部分に分け、一方は従来の電気室に設けた情報伝送装置２２ｂから従来と同様の制御指令を出して、１号ポンプ５１ａおよび２号ポンプ５１ｂを制御する。他方は、インターネットや公衆回線等の通信回線６１に接続し、この通信回線で接続された部分で、ロギングデータを蓄積および加工し、入出力手段１１に伝送するようにしたことにある。
【００２３】
すなわち監視システムは、情報伝送装置２２ｂとロギング画面生成装置７１とを備える。情報伝送装置２２ｂは、無線ＬＡＮ網４３を介して入出力手段１１に接続される。ここで、電気室に配置される情報伝送装置２２ｂは、入出力手段１１と信号伝送するための無線通信部１０１０と、１号ポンプ５１ａおよび２号ポンプ５１ｂからの計測信号等の入力信号および１号ポンプと２号ポンプへの指令を生成するための出力信号を送信する入出力部２０４０は備えているが、ロギング情報に関する部分は有していない。なお、情報伝送装置２２ｂには、通信回線６１との通信が可能となるように、通信装置２３が付設されている。
【００２４】
通信装置２３から送られた入出力手段１１からの信号や１号ポンプ５１ａおよび２号ポンプ５１ｂの計測信号等の出力信号は、通信回線を介して遠隔に接続されたロギング画面生成装置に送られる。
【００２５】
ロギング画面生成装置７１は、通信回線６１との通信を可能にするための通信装置２３と、通信装置２３から送られた信号を通信処理する通信処理部２００５とを有する。通信処理部２００５には上記実施例のロギングデータ処理部分と同様に、ロギング画面生成処理部２０１０、データロギング処理部２０２０、操作画面データ処理部２０３０が接続されている。入出力手段１１の表示操作部１０００であるタッチパネルに形成されたキー入力部を巡回員がキー入力すると、入力されたデータに基づきロギング画面生成処理部２０１０と操作画面データ処理部２０３０のいずれかが自動的に選択される。そして、ロギング画面生成処理部２０１０が選択されたときには、データロギング処理部２０３０に蓄えられたデータを処理して入出力手段１１に送る。
【００２６】
本実施例によれば、データロギング部をポンプ機場から離れた場所に設けたので、複数の機場のデータロギング処理を遠隔地で一括処理できる。したがって、複雑な処理が必要であっても、大型の演算処理装置を利用できる。また、他の機場のデータを参照することも可能になり、振動や騒音異常等を他の例から早期に発見できる。
【００２７】
以上の各実施例によれば、巡回者が現場でロギングデータを利用できるので、運転回数や運転時間を参照して、いずれのポンプを運転するかを決定することができる。また、現場の機器の現象をロギングデータと比較することにより、機器の異常を早期に発見することが可能になり、重大事故の発生を回避できる。
【図面の簡単な説明】
【００２８】
【図１】本発明に係る監視システムの一実施例の模式図である。
【図２】図１に示した監視システムのブロック図である。
【図３】タッチパネルに遠隔で情報取得することを説明する図である。
【符号の説明】
【００２９】
１１…無線機能内蔵タッチパネル装置（入出力手段）、２１…自動制御盤（中央監視装置）、２２…情報伝送装置、２３…通信装置、３１、３１ｂ…制御回路、３２ａ〜３２ｄ…リレー制御回路、４１ａ、４１ｂ…無線用アンテナ、５１ａ、５１ｂ…監視対象機器、６１…通信回線、７１…タッチパネル。
【図１】
2007122196.tif 000003
【図２】
2007122196.tif 000004
【図３】
2007122196.tif 000005